【事件の表示】
　特願２０１２−　７１６７６「インクジェット記録シート」拒絶査定不服審判事件〔平成２５年１０月　７日出願公開、特開２０１３−２０２８２０〕について、次のとおり審決する。
【結　論】
　本件審判の請求は、成り立たない。
【理　由】
第１　手続の経緯
　本願は、平成２４年３月２７日の出願であって、平成２５年１１月１９日付けで拒絶理由が通知され、平成２６年２月６日に意見書及び手続補正書が提出され、同年４月２３日付けで拒絶査定がなされ、これを不服として、同年７月３０日に審判請求がされると同時に手続補正書が提出されたものである。
第２　平成２６年７月３０日に提出された手続補正書による補正についての補正の却下の決定
［補正の却下の決定の結論］
　平成２６年７月３０日に提出された手続補正書による補正（以下「本件補正」という。）を却下する。
［理由］
１　本件補正の内容
　本件補正は、平成２６年２月６日に提出された手続補正書によって補正された本件補正前（以下「本件補正前」という。）の特許請求の範囲についてするものであって、そのうち請求項５についての補正は、以下のとおりである。
（１）本件補正前の請求項５
「　支持体上の少なくとも一方の面に、一層以上のインク受理層を塗布してなるインクジェット記録シートにおいて、該インク受理層に少なくともＢＥＴ比表面積が２００〜４００ｍ２／ｇの合成非晶質シリカとアクリルアミド構造を有するカチオン性物質を含有し、
前記インク受理層に含有される比表面積２００〜４００ｍ２／ｇの合成非晶質シリカの割合が、乾燥重量でインク受理層に占める無機顔料の内の８７．５質量％以上であり、
前記インクジェット受理層の塗料液中にヒドロキシジカルボン酸、ヒドロキシトリカルボン酸又はその塩の少なくとも１種以上、及び塩化マグネシウムを含有することを特徴とするインクジェット記録シート。」
（２）本件補正により補正された請求項５（下線は補正箇所を示す。）
「　支持体上の少なくとも一方の面に、一
層の
前記インク受理層に含有される比表面積２００〜４００ｍ２／ｇの合成非晶質シリカの割合が、乾燥重量でインク受理層に占める無機顔料の内の８７．５質量％以上であり、
前記インクジェット受理層の塗料液中にヒドロキシジカルボン酸、ヒドロキシトリカルボン酸又はその塩の少なくとも１種以上、及び塩化マグネシウムを含有することを特徴とするインクジェット記録シート。」
２　補正の目的の適否及び新規事項の有無
　上記請求項５に対する補正は、「一層以上のインク受理層」から「以上」を削除し、「インク受理層」を「一層」に限定するものである。よって、上記補正は、本件補正前の請求項５に係る発明を特定するために必要な事項を限定するものであって、本件補正の前後で請求項５に係る発明の産業上の利用分野及び解決しようとする課題は同一であると認められるから、特許法１７条の２第５項２号に掲げる特許請求の範囲の減縮を目的とするものである。また、上記補正は、本願の願書に最初に添付した明細書、特許請求の範囲又は図面に記載された事項の範囲内においてした補正であって、特許法１７条の２第３項に規定する要件を満たしている。
　そこで、本件補正後の請求項５に係る発明（以下「本願補正発明」という。）が、特許出願の際独立して特許を受けることができるものであるか（特許法１７条の２第６項において準用する同法１２６条７項の規定に適合するか）について、以下検討する。
３　独立特許要件の検討
（１）引用例の記載事項
　ア　原査定の拒絶の理由で「引用文献６」として引用され、本願の出願前に頒布された刊行物である、特開２００５−２７１４８６号公報（以下「引用例１」という。）には、次の事項が記載されている。（下線は当審で付した。以下同様。）
　（ア）「【請求項１】
紙基材上に、少なくとも顔料および接着剤を含有するインク受理層を設けたインクジェット記録用紙において、前記紙基材のステキヒトサイズ度が１１０秒以上であり、該インク受理層がカチオン性インク定着剤と水溶性金属塩を含有することを特徴とするインクジェット記録用紙。
　（イ）「【発明が解決しようとする課題】
【０００６】
　上記特許文献に記載されたインクジェット記録用紙は、いずれも染料インクの発色性と保存性、顔料インクの発色性を同時に満足するとはいえず、染料インク、顔料インクのいずれを用いても優れた発色性を持ち、更に、塗膜強度を有し、白地部の保存性を満足するインクジェット記録用紙は得られていない状況である。もちろん古紙再生パルプを配合した基材を用いる場合でも同様の状況である。
【０００７】
　
本発明は、
白地部の保存性に優れたインクジェット記録用紙を提供するものである。
　（ウ）「【００２４】
（インク受理層）
　
インク受理層は、顔料、接着剤、カチオン性インク定着剤および水溶性金属塩を少なくとも含有
【００２５】
　
顔料としては、
【００２６】
　これらの顔料の中では、発色性、インク吸収性に優れることから、シリカ、アルミナ、擬べーマイト、軽質炭酸カルシウム、ゼオライトが好ましく選択され、なかでもシリカ、アルミナ、擬べーマイトが好ましく、
シリカが最も好ましい
【００２７】
　
シリカとしては非晶質シリカが好ましい
　（エ）「【００３９】
　一方、インク受理層に用いられる
カチオン性インク定着剤としては、
１）ポリエチレンポリアミンやポリプロピレンポリアミンなどのポリアルキレンポリアミン類またはその誘導体、２）第２級アミノ基、第３級アミノ基や第４級アンモニウム基を有するアクリル重合体、３）ポリビニルアミン、ポリビニルアミジン、５員環アミジン類、４）ジシアンジアミド−ホルマリン共重合体に代表されるジシアン系カチオン樹脂、５）ジシアンジアミド−ポリエチレンアミン共重合物に代表されるポリアミン系カチオン樹脂、６）ジメチルアミン−エピクロルヒドリン共重合物、７）ジアリルジメチルアンモニウム−ＳＯ２共重合物、８）ジアリルアミン塩−ＳＯ２共重合物、９）ジメチルジアリルアンモニウムクロライド重合物、１０）アリルアミン塩の重合物、１１）ビニルベンジルトリアリルアンモニウム塩の単独重合体又は共重合体、１２）ジアルキルアミノエチル（メタ）アクリレート４級塩共重合物、１３）アクリルアミド−ジアリルアミン塩共重合物、１４）ポリ塩化アルミニウム、ポリ酢酸アルミニウムなどのアルミニウム塩等の一般市販されているものが挙げられ、単独あるいは数種類併用して用いられる。
【００４０】
　これらの中で、カチオン性インク定着剤として、
アクリルアミド−ジアリルアミン共重合物と、ジシアンジアミド−ポリエチレンアミン共重合物を併用することが好ましい。
　（オ）「【００４７】
＜実施例１＞
［紙基材Ａ］
　軽質炭酸カルシウム２０部を、広葉樹晒クラフトパルプ（ろ水度４００ｍｌＣＳＦ）１００部のスラリー中に添加し、カチオン澱粉（王子コーンスターチ社製  商品名：エースＫ）１部、無水アルケニルコハク酸系中性サイズ剤（ナショナルスターチアンドケミカル社製　商品名：ファイブラン８１Ｋ）０．２部を添加し、十分に混合して抄紙原料とし、長網多筒式抄紙機を用いて水分を１０％まで乾燥させ、サイズプレスで酸化澱粉（王子コーンスターチ社製　商品名：エースＡ）１００部とスチレン系の表面サイズ剤（荒川化学社製　商品名：ポリマロン３６０）３部からなるサイズプレス７％溶液を両面で４ｇ／ｍ２塗布、乾燥し、水分７％まで乾燥させて米坪２００ｇ／ｍ２の紙基材Ａを製造した。紙基材Ａのステキヒトサイズ度は２６０秒であった。
【００４８】
（インク受理層塗工液Ａ）
　
顔料として湿式シリカ（トクヤマ社製、商品名：ファインシールＸ−６０、二次粒子径６．２μｍ）１００部と、接着剤としてシリル変性ポリビニルアルコール（クラレ社製、商品名：Ｒ−１１３０）３０部、インク定着剤としてアクリルアミド−ジアリルアミン共重合物（住友化学社製、商品名：ＳＲ１００１）１５部、およびジシアンジアミドーポリエチレンアミン共重合物（日華化学社製、商品名：ネオフィックスＩＪ−１１７）１５部、塩化亜鉛水溶液（和光純薬社製：塩化亜鉛を水に溶かして５％として使用、分子量１３６．３０）５部および水を混合分散してインク受理層塗工液Ａを得
【００４９】
（インクジェット記録体の作製）
　
紙基材Ａ上に、インク受理層塗工液Ａを塗工量が１０ｇ／ｍ
２
となるように塗工、乾燥し、インクジェット記録体を作製した。
　（カ）「【００６６】
［
白紙部の保存性（熱黄変）
　インクジェット記録用紙を、８０℃５０％環境下で、１週間静置させた。静置前および静置後の、インク受理層側の
白紙部の黄変の度合いを下記の基準にしたがい、目視で判断した。
　○：殆ど黄変していない。
　△：黄変している。
　×：非常に黄変している。
【００６７】
［
白紙部の保存性（光黄変
　インクジェット記録用紙を、６０℃５０％環境下で、キセノンランプ（１０万ｌｕｘ）で３日間照射させた。照射前および照射後の、インク受理層側の
白紙部の黄変の度合いを下記の基準にしたがい目視で判断した。
　○：殆ど黄変していない。
　△：黄変している。
　×：非常に黄変している。」
　イ　上記ア（ア）〜（カ）から、引用例１には、次の発明が記載されているものと認められる。
「　紙基材上に、少なくとも顔料および接着剤を含有するインク受理層を設けたインクジェット記録用紙において、
　前記紙基材のステキヒトサイズ度が１１０秒以上であり、
　前記インク受理層は、顔料、接着剤、カチオン性インク定着剤および水溶性金属塩を少なくとも含有し、
　前記顔料としては、シリカが好ましく、シリカとしては非晶質シリカが好ましく、
　前記カチオン性インク定着剤としては、アクリルアミド−ジアリルアミン共重合物と、ジシアンジアミド−ポリエチレンアミン共重合物を併用することが好ましく、
　具体的には、顔料として湿式シリカ（トクヤマ社製、商品名：ファインシールＸ−６０、二次粒子径６．２μｍ）１００部と、接着剤としてシリル変性ポリビニルアルコール（クラレ社製、商品名：Ｒ−１１３０）３０部、インク定着剤としてアクリルアミド−ジアリルアミン共重合物（住友化学社製、商品名：ＳＲ１００１）１５部、およびジシアンジアミドーポリエチレンアミン共重合物（日華化学社製、商品名：ネオフィックスＩＪ−１１７）１５部、塩化亜鉛水溶液（和光純薬社製：塩化亜鉛を水に溶かして５％として使用、分子量１３６．３０）５部および水を混合分散してインク受理層塗工液を得、紙基材上に、前記インク受理層塗工液を塗工量が１０ｇ／ｍ２となるように塗工、乾燥して作製した、
　白紙部の保存性（熱黄変耐性及び光黄変耐性）に優れた、
　インクジェット記録用紙。」
　（以下「引用発明１」という。）
　ウ　原査定の拒絶の理由で「引用文献１２」として引用され、本願の出願前に頒布された刊行物である、特開２０１１−２１２９９０号公報（以下「引用例２」という。）には、次の事項が記載されている。
　（ア）「【請求項１】
　
３層以上の多層抄きの基紙の片面側に顔料を主体として含有するインク受容層を設け
　前記基紙の層のうち、前記インク受容層と接する層を表面層、反対側の層を裏面層、該表面層と該裏面層との中間に位置する層を中間層とそれぞれ表記したとき、
（１）前記中間層が１層以上で形成され、
（２）前記中間層の古紙パルプの配合割合が８０質量％以上であり、
（３）前記裏面層の古紙パルプの配合割合が２０質量％未満であり、
（４）
前記基紙若しくは前記インク受容層のいずれか一方又は両方に、有機酸又は該有機酸のマグネシウム塩のうち少なくとも１種以上を含有し、
（５）前記有機酸は、ジカルボン酸若しくはヒドロキシカルボン酸のいずれか一方又は両方である、
　ことを特徴とする
多層抄きインクジェット用はがき用紙。
　（イ）「【００１９】
　したがって、本発明は、このような従来の技術が解決するに至っていない問題を解決しようとするものであり、古紙パルプを配合した多層抄きインクジェット用はがき用紙に関し、古紙パルプの配合割合を高くしても、宛名面は、夾雑物が少なく、かつ、インクジェットプリンター印字後の滲みがなく、かつ、水性ペンでの筆記性に優れ、かつ、蛍光によるバーコード読み取りの問題を生じさせず、更には、郵便番号枠、切手貼り付け枠などを
油性インキで印刷した場合に、
印刷部と接する箇所の変色が少なく、
【課題を解決するための手段】
【００２０】
　本発明者らは鋭意検討の結果、基紙全体での古紙パルプの配合割合を４０質量％以上とした場合において、基紙を表面層、中間層及び裏面層からなる多層抄きとし、片面側だけインク受容層を設け、中間層の古紙パルプの配合割合が８０質量％以上であり、かつ、特定の有機酸又はそのマグネシウム塩を使用することで、宛名面の夾雑物が少なく、宛名面の水性ペンでの筆記性に優れ、古紙パルプの配合割合を高くしても蛍光によるバーコード読み取りの問題を生じさせず、更には
油性インキによる変色度合いが小さく、
インクジェット用はがき用紙
　（ウ）「【００３９】
　本実施形態に係る多層抄きインクジェット用はがき用紙は、
基紙若しくはインク受容層のいずれか一方又は両方に、有機酸又は該有機酸のマグネシウム塩のうち少なくとも１種以上を含有する。
【００４０】
  また、ＢＨＴは、昇華しやすく環境中の窒素酸化物（ＮＯｘ）などの作用によっていくつかの誘導体が生成される。この誘導体の一部には、酸性環境下では無色であるが、アルカリ性環境下では黄色となるものがあるため、紙面ｐＨは酸性であることが好ましい。有機酸及びそのマグネシウム塩を含有することによって、紙面ｐＨは酸性となるため、中間層だけでなく表面層及び裏面層にも古紙の配合割合を高くすることができる。
【００４１】
　本実施形態に係る多層抄きインクジェット用はがき用紙では、有機酸及び該有機酸のマグネシウム塩の合計含有量が、はがき用紙全体のうち１０〜１０００ｐｐｍ（０．００１〜０．１００質量％）であることが好ましい。より好ましくは、２０〜７００ｐｐｍであり、特に好ましくは、５０〜５５０ｐｐｍである。１０ｐｐｍ未満では、油性インキとの接触による通信面の変色を抑制する効果が劣る場合がある。１０００ｐｐｍを超えると、基紙の表面又は塗工層の強度が弱くなり、粉落ちなどの弊害が発生する場合がある。
【００４２】
　
前記有機酸は、ジカルボン酸若しくはヒドロキシカルボン酸のいずれか一方又は両方である。
前記ヒドロキシカルボン酸として
リンゴ酸、
クエン酸、
酒石酸、
タルトロン酸
のうち少なくとも１種以上であることがより好ましい。油性インキによる変色を抑制する効果を更に高めることができる。
【００４３】
　本実施形態に係る多層抄きインクジェット用はがき用紙では、基紙若しくはインク受容層のいずれか一方又は両方が、更に無機酸のマグネシウム塩若しくは強酸と弱塩基とからなる塩のいずれか一方又は両方を含有が好ましい。
無機酸のマグネシウム塩を別途補助的に加えることで変色抑制効果を更に高めることができる。
無機酸のマグネシウム塩は、
塩化マグネシウムがより好ましい。
【００４４】
　　本実施形態に係る多層抄きインクジェット用はがき用紙の製造方法では、
基紙又はインク受容層に有機酸又は該有機酸のマグネシウム塩を含有させる方法として、
（３）有機酸又は該有機酸のマグネシウム塩のうち少なくとも１種以上を添加したインク受容層を形成するための塗工液を用いて前記インク受容層を形成する工程
（３）の工程を含むことが、特に好ましい。インク受容層中に有機酸又は該有機酸のマグネシウム塩のうち少なくとも１種以上を含有させることによって、変色の原因となる成分を効率的に取り込むことができ、変色抑制効果を更に高めることができる
　（エ）「リンゴ酸、クエン酸、酒石酸及びタルトロン酸」は、いずれも
ヒドロキシジカルボン酸またはヒドロキシトリカルボン酸である
　エ　上記ウ（ア）ないし（エ）から、引用例２には、次の発明が記載されていると認められる。
「　３層以上の多層抄きの基紙の片面側に顔料を主体として含有するインク受容層を設けた多層抄きインクジェット用はがき用紙であり、油性インキで印刷した場合に、印刷部と接する箇所の変色が少ない、インクジェット用はがき用紙であって、
　前記基紙若しくはインク受容層のいずれか一方又は両方に、有機酸又は該有機酸のマグネシウム塩のうち少なくとも１種以上を含有し、
　前記有機酸は、ジカルボン酸若しくはヒドロキシカルボン酸のいずれか一方又は両方であり、
　前記ヒドロキシカルボン酸として、ヒドロキシジカルボン酸またはヒドロキシトリカルボン酸である、リンゴ酸、クエン酸、酒石酸、タルトロン酸のうち少なくとも１種以上であることが、油性インキによる変色を抑制する効果を更に高めることができるので、より好ましく、
　無機酸のマグネシウム塩を別途補助的に加えることで変色抑制効果を更に高めることができ、無機酸のマグネシウム塩は、塩化マグネシウムがより好ましく、
　前記基紙又はインク受容層に有機酸又は該有機酸のマグネシウム塩を含有させる方法として、有機酸又は該有機酸のマグネシウム塩のうち少なくとも１種以上を添加したインク受容層を形成するための塗工液を用いて前記インク受容層を形成する工程を含むことが、特に好ましく、
　インク受容層中に有機酸又は該有機酸のマグネシウム塩のうち少なくとも１種以上を含有させることによって、変色の原因となる成分を効率的に取り込むことができ、変色抑制効果を更に高めることができる、
　インクジェット用はがき用紙。」
　（以下「引用発明２」という。）
（２）対比
　ア　本願補正発明と、引用発明１とを対比する
　（ア）引用発明１の「紙基材」、「インク受理層」、「インクジェット記録用紙」及び「インク受理層塗工液」は、それぞれ本願補正発明の「支持体」、「インク受理層」、「インクジェット記録シート」及び「インクジェット受理層の塗料液」に相当する。
　（イ）引用発明１の「湿式シリカ（トクヤマ社製、商品名：ファインシールＸ−６０」は、ＢＥＴ比表面積が２９０ｍ２／ｇの非晶質シリカであり（特開２０００−７１６０１号公報の【００２８】、特開平１０−４４６０３号公報の【００１８】参照。）、したがって、本願補正発明の「比表面積２００〜４００ｍ２／ｇの合成非晶質シリカ」に相当する。また引用発明１のインク受理層塗工液中には他の無機顔料は含まれないから、「比表面積２００〜４００ｍ２／ｇの合成非晶質シリカの割合が、乾燥重量でインク受理層に占める無機顔料の内の８７．５質量％以上」である。
　（ウ）引用発明１の「『カチオン性インク定着剤』である『アクリルアミド−ジアリルアミン共重合物』」は、本願補正発明の「アクリルアミド構造を有するカチオン性物質」に相当する。
　（エ）引用発明１では、「紙基材上に、上記インク受理層塗工液を塗工量が１０ｇ／ｍ２となるように塗工、乾燥して」インクジェット記録用紙を作製しており、インク受理層は一層である。
　イ　したがって、本願補正発明と引用発明１とは、
「　支持体上の少なくとも一方の面に、一層のインク受理層を塗布してなるインクジェット記録シートにおいて、該インク受理層に少なくともＢＥＴ比表面積が２００〜４００ｍ２／ｇの合成非晶質シリカとアクリルアミド構造を有するカチオン性物質を含有し、
前記インク受理層に含有される比表面積２００〜４００ｍ２／ｇの合成非晶質シリカの割合が、乾燥重量でインク受理層に占める無機顔料の内の８７．５質量％以上である、
インクジェット記録シート。」
である点で一致し、次の点で相違している。
相違点：インク受理層の塗料液中に、
　本願補正発明では、「ヒドロキシジカルボン酸、ヒドロキシトリカルボ
ン酸又はその塩の少なくとも１種以上、及び塩化マグネシウムを含有する」のに対し、
　引用発明１では、インク受理層塗工液が、ヒドロキシジカルボン酸、ヒドロキシトリカルボン酸又はその塩の少なくとも１種以上、及び塩化マグネシウムを含有するか、明らかでない点。
（３）検討
　上記相違点について検討する。
　ア　上記（１）ア（イ）で摘記したように、引用発明１は、白地部の保存性に優れたインクジェット記録用紙を提供することをその課題としており、白地性は、上記（１）ア（カ）に摘記したように、黄変の度合いにより評価している。
　イ　白地部の黄変の低減を課題とする引用発明１において、記録に用いられるインキによる変色も少なくすることが好ましいことは、当業者が当然考慮すべきことである。したがって、引用発明１において、引用発明２を適用し、インク受理層に、有機酸又は該有機酸のマグネシウム塩のうち少なくとも１種と、無機酸のマグネシウム塩とを含有させ、好ましくは有機酸をリンゴ酸、クエン酸、酒石酸及びタルトロン酸のうち少なくとも１種とし、無機酸のマグネシウム塩を塩化マグネシウムとして、もって上記相違点に係る本願補正発明の構成となすことは、当業者が容易に想到し得たことである。
　ウ　そして、本願補正発明の奏する効果は、引用発明１、引用例１の記載及び引用発明２から、当業者が予測し得た範囲内のものにすぎず、格別顕著なものということはできない。
　エ　上記ア〜ウからみて、本願補正発明は、当業者が引用発明１、引用例１の記載及び引用発明２に基づいて、容易に発明をすることができたものであるから、特許法２９条２項の規定により、特許出願の際独立して特許を受けることができないものである。
４　補正の却下の決定についてのむすび
　よって、本件補正は、特許法１７条の２第６項において準用する同法１２６条７項の規定に違反するので、同法１５９条１項において読み替えて準用する同法５３条１項の規定により却下すべきものである。
第３　本願発明について
１　本願発明
　上記「第２　補正の却下の決定」のとおり、本件補正は却下されたので、本願の請求項１〜９に係る発明は、平成２６年２月６日に提出された手続補正書によって補正された特許請求の範囲の請求項１〜９によって特定されるものであるところ、そのうち、請求項５に係る発明（以下「本願発明」という。）は、上記第２の［理由］１（１）に本件補正前の請求項５として記載したとおりのものである。
２　引用刊行物の記載事項
　原査定の拒絶の理由で引用された引用文献６及び引用文献１２の記事事項は、上記第２の［理由］３（１）に記載したとおりである。
３　対比・判断
　本願補正発明は、上記第２［理由］２のとおり、「インク受理層」について、本願発明の発明特定事項を限定したものである。
　そうすると、本願発明の構成要件をすべて含み、さらに限定を付加したものに相当する本願補正発明が、上記第２［理由］３のとおり、当業者が引用発明１、引用例１の記載及び引用発明２に基づいて、容易に発明をすることができたものであるから、本願発明も、同様の理由により、当業者が引用発明１、引用例１の記載及び引用発明２に基づいて、当容易に発明をすることができたものである。
４　むすび
　以上のとおり、本願発明は、特許法２９条２項の規定により、特許を受けることができない。
　したがって、本願は、他の請求項について検討するまでもなく、拒絶すべきものである。
　よって、結論のとおり審決する。